(57)【要約】【課題】つぎのリクエスト曲の推薦曲リストに演奏済み告知メッセージを表示する。【解決手段】利用者ＩＤと、名前を含む個人情報の対応付け記述を複数含む利用者名簿を記憶し、楽曲ＩＤと利用者ＩＤを特定したリクエストを順番に処理して楽曲ＩＤに該当するカラオケ伴奏音楽を演奏するとともに演奏日時と楽曲ＩＤと利用者ＩＤの対応付け記述を演奏履歴に記録し、推薦曲リストを表示させる際、演奏履歴において直近の所定期間に記録された楽曲ＩＤの中で推薦曲リストに含まれている楽曲ＩＤ（ア）を抽出し、その楽曲ＩＤ（ア）に対応付けられている利用者ＩＤ（イ）を抽出し、利用者名簿から利用者ＩＤ（イ）の名前（ウ）を抽出し、楽曲ＩＤ（ア）の楽曲を名前（ウ）の利用者が最近歌った事実を告知するメッセージ（エ）を作成し、推薦曲リストを表示させ、表示上の楽曲ＩＤ（ア）の楽曲に対応付けしてメッセージ（エ）を付加表示させるカラオケ装置とする。【選択図】図５
2010049097.tif 000002
【特許請求の範囲】
【請求項１】
記憶手段と、制御手段を備え、推薦曲リストを表示手段に表示して希望曲の演奏予約を利用者入力手段により受け付けるカラオケ装置であって、
記憶手段は、演奏履歴と、利用者名簿を格納し、
演奏履歴は、演奏日時と楽曲ＩＤと利用者ＩＤの対応付け記述を時系列に記録したものであり、
利用者名簿は、利用者ＩＤと、名前を含む個人情報の対応付け記述を複数含み、
制御手段は、楽曲ＩＤと利用者ＩＤを特定したリクエストを順番に処理して楽曲ＩＤに該当するカラオケ伴奏音楽を演奏するとともに演奏日時と楽曲ＩＤと利用者ＩＤの対応付け記述を演奏履歴に記録し、
制御手段は、推薦曲リストを表示させる際、第１〜第３処理を行い、
第１処理は、演奏履歴において直近の所定期間に記録された楽曲ＩＤの中で推薦曲リストに含まれている楽曲ＩＤ（ア）を抽出し、演奏履歴中で楽曲ＩＤ（ア）に対応付けられている利用者ＩＤ（イ）を抽出し、利用者名簿から利用者ＩＤ（イ）の名前（ウ）を抽出し、
第２処理は、楽曲ＩＤ（ア）の楽曲を名前（ウ）の利用者が最近歌った事実を告知するメッセージ（エ）を作成し、
第３処理は、推薦曲リストを表示させるとともに、表示上の楽曲ＩＤ（ア）の楽曲に対応付けしてメッセージ（エ）を付加表示させる
カラオケ装置。
【請求項２】
制御手段は、利用者の指示入力により第１処理を開始する
請求項１に記載のカラオケ装置。
【請求項３】
制御手段は、あるカラオケ楽曲の演奏終了後、次曲の演奏開始までの曲間に、第１〜第３処理を実行する
請求項１に記載のカラオケ装置。
【請求項４】
第１処理は、演奏履歴から楽曲ＩＤ（ア）を抽出する際、演奏日時（オ）をあわせて抽出し、
第２処理で作成するメッセージ（エ）には、演奏日時（オ）に関する情報を含める
請求項１〜３のいずれかに記載のカラオケ装置。
【請求項５】
第１処理は、演奏履歴から楽曲ＩＤ（ア）を抽出する際、採点情報（カ）をあわせて抽出し、
第２処理で作成するメッセージ（エ）には、採点情報（カ）を含める
請求項１〜４のいずれかに記載のカラオケ装置。
【請求項６】
第１処理は、利用者名簿から利用者ＩＤ（イ）の名前（ウ）を抽出する際、写真（ク）をあわせて抽出し、
第３処理は、推薦曲リスト表示上の楽曲ＩＤ（ア）の楽曲に対応付けしてメッセージ（エ）を付加表示させる際、写真（ク）をあわせて表示する
請求項１〜５のいずれかに記載のカラオケ装置。
【発明の詳細な説明】
【技術分野】
【０００１】
この発明は、カラオケ装置において推薦曲リストを表示してリクエストを受け付ける技術に関し、特に、カラオケを楽しんでいる人達の最新動向を提示情報に加味して興味を増す技術に関する。
【背景技術】
【０００２】
何万曲ものカラオケ楽曲の中から自分の歌いたい楽曲を選び出す作業は、カラオケの楽しみの一つとなっているが、反面、選曲しないとカラオケを始められないので、早く歌いたいときには面倒でもある。自分が興味を持ちそうな楽曲を適当に見繕って推薦してくれると助かる、と思う利用者も少なくはない。そのような事情を考慮して、適当な推薦曲リストを利用者に提示して、簡単に演奏予約することができるカラオケ装置が開発されている。
【０００３】
特開２０００−９９０４９号公報に記載のカラオケ装置では、曲間にリクエストの多い曲や新譜曲を紹介する番組を放映して、簡単な操作でリクエストを受け付ける。  
特許第４０３３９４４号公報に記載のカラオケ装置では、演奏が済んだばかりの楽曲に、統計上引き続き演奏されることが多い楽曲リストを自動的に選出して提示する。  
特許第３９２０２０４号公報に記載のカラオケ装置では、店舗の地域性を考慮して統計上で演奏頻度が高い楽曲を自動的に選出して推薦リストを作成する。  
特許第３９５８２０７号公報に記載のカラオケ装置では、選曲されたばかりの楽曲に関連する楽曲リストを自動生成して提示して、続けて演奏されるように予約することができる。  
特許第３９４６６６２号公報に記載のカラオケ装置では、利用者の選曲履歴に基づいて、愛好曲リスト（持ち歌リスト）への追加登録曲を推薦するようになっている。
【特許文献１】特開２０００−９９０４９号公報
【特許文献２】特許第４０３３９４４号公報
【特許文献３】特許第３９２０２０４号公報
【特許文献４】特許第３９５８２０７号公報
【特許文献５】特許第３９４６６６２号公報
【発明の開示】
【発明が解決しようとする課題】
【０００４】
この発明の目的は、カラオケ装置において、推薦曲リストを表示する機能にさらに趣向を凝らし、カラオケを楽しんでいる人達に話題性を提供し、カラオケパーティの雰囲気を盛り上げるようにすることにある。
【０００５】
本出願人は、推薦曲リストを提示する際に、その場にいる誰かに歌われたばかりの曲があれば、その旨を合わせて通知したいと考えた。推薦された曲がつい先ほどＡさんが歌った曲だとわかれば、あらためてその曲にまつわる話で盛り上がるきっかけになるだろう。なぜ推薦されているのか、その曲のアーティストの動向や、話題のもとになったドラマなどに話題がおよぶこともあるだろう。あるいは、さすがにＡさんは流行に敏感で話題曲をよく知っているなどと、Ａさんに最新情報の提供を求めることもあるだろう。そのように、カラオケの場に話題を提供するきっかけになり、カラオケパーティがさらに盛り上がることになるだろうと考えて、本発明を創作したものである。
【課題を解決するための手段】
【０００６】
この発明は、つぎの事項（１）〜（８）により特定されるカラオケ装置である。  
（１）記憶手段と、制御手段を備え、推薦曲リストを表示手段に表示して希望曲の演奏予約を利用者入力手段により受け付けるカラオケ装置であること
（２）記憶手段は、演奏履歴と、利用者名簿を格納すること
（３）演奏履歴は、演奏日時と楽曲ＩＤと利用者ＩＤの対応付け記述を時系列に記録したものであること
（４）利用者名簿は、利用者ＩＤと、名前を含む個人情報の対応付け記述を複数含むこと
（５）制御手段は、楽曲ＩＤと利用者ＩＤを特定したリクエストを順番に処理して楽曲ＩＤに該当するカラオケ伴奏音楽を演奏するとともに演奏日時と楽曲ＩＤと利用者ＩＤの対応付け記述を演奏履歴に記録すること
（６）制御手段は、推薦曲リストを表示させる際、第１〜第３処理を行うこと
第１処理は、演奏履歴において直近の所定期間の記録された楽曲ＩＤの中で推薦曲リストに含まれている楽曲ＩＤ（ア）を抽出し、演奏履歴中で楽曲ＩＤ（ア）に対応付けられている利用者ＩＤ（イ）を抽出し、利用者名簿から利用者ＩＤ（イ）の名前（ウ）を抽出すること
（７）第２処理は、楽曲ＩＤ（ア）の楽曲を名前（ウ）の利用者が最近歌った事実を告知するメッセージ（エ）を作成すること
（８）第３処理は、推薦曲リストを表示させるとともに、表示上の楽曲ＩＤ（ア）の楽曲に対応付けしてメッセージ（エ）を付加表示させること
【０００７】
この発明において、制御手段は、つぎの(ａ)(ｂ)のいずれかの要件を選択的に適用したものであることが望ましい。  
（ａ）制御手段は、利用者の指示入力により第１処理を開始すること
（ｂ）制御手段は、あるカラオケ楽曲の演奏終了後、次曲の演奏開始までの曲間に、第１〜第３処理を実行すること
【０００８】
またこの発明において、第１処理は、演奏履歴から楽曲ＩＤ（ア）を抽出する際、演奏日時（オ）をあわせて抽出し、第２処理で作成するメッセージ（エ）には、演奏日時（オ）に関する情報を含めることが望ましい。
【０００９】
または、第１処理は、演奏履歴から楽曲ＩＤ（ア）を抽出する際、採点情報（カ）をあわせて抽出し、第２処理で作成するメッセージ（エ）には、採点情報（カ）を含めることが望ましい。
【００１０】
さらに、第１処理は、利用者名簿から利用者ＩＤ（イ）の名前（ウ）を抽出する際、写真（ク）をあわせて抽出し、第３処理は、推薦曲リスト表示上の楽曲ＩＤ（ア）の楽曲に対応付けしてメッセージ（エ）を付加表示させる際、写真（ク）をあわせて表示することが望ましい。
【発明の効果】
【００１１】
本発明によれば、推薦曲リストの曲目に誰かが歌ったばかりの曲があればわかるので、その曲にまつわる話で盛り上がるきっかけになったり、歌った人に情報の提供を求めたりして、カラオケの場に話題を提供するきっかけになり、カラオケパーティがさらに盛り上がる。したがって、カラオケの娯楽性が増す効果を期待できる。
【発明を実施するための最良の形態】
【００１２】
＝＝＝カラオケ装置の基本構成＝＝＝
図１に本実施例のカラオケ装置を含むネットワーク構成を例示した。本実施例のカラオケ装置は、周知の通信カラオケシステムの一部であり、複数の客室を備えたカラオケ店舗において、同室内にあるカラオケ演奏端末（以下、演奏端末１０）と、当該演奏端末１０を操作するための客室端末２０とで構成される。カラオケ店舗にはＬＡＮ１１０が敷設され、このＬＡＮ１１０を介して各客室の演奏端末１０と同室内の客室端末２０とが通信する。
【００１３】
演奏端末１０は、汎用パソコンの応用装置である。図２にそのブロック構成を例示した。ＣＰＵ・ＲＡＭ・ＲＯＭを含む中央制御部１１は周辺構成部を制御して演奏端末１０を統括する。ハードディスク装置１２には、メインコンピュータのプログラムのほか、伴奏音楽や歌詞画像の起源となるカラオケデータをカラオケ楽曲ＩＤに対応付けして集約したカラオケデータベースが記憶されている。またユーザインタフェース装置として、装置本体の操作／表示パネル１３を備えるほか、通信処理部１４を介してカラオケ店舗内のＬＡＮ１１０に接続されている。
【００１４】
客室端末２０は、タッチパネルを主要なユーザインタフェースとしたタブレットコンピュータと同様のハードウェア構成であり、所定規格の無線ＬＡＮインタフェースを実装する。図３に客室端末２０の機能ブロック構成を例示した。ＣＰＵ・ＲＡＭ・ＲＯＭを含む端末制御部２１を主制御部として、ハードディスク装置２２・タッチパネル２３・通信インタフェース２４を備えている。ハードディスク装置２２に、演奏予約などの操作対象となる同室内の演奏端末１０の所在情報（ＩＰアドレスなど）を記憶している。通信インタフェース２４は、無線アクセスポイントを介してＬＡＮに接続され、演奏端末１０と通信する。また、インストールされているプログラムの実行によりＧＵＩを通じて利用者と対話し、楽曲の演奏予約など、演奏端末１０を操作するためのリモコン装置として機能する。
【００１５】
演奏端末１０はＬＡＮを介して外部ネットワークに接続され、外部ネットワークに接続されているカラオケ事業者が運用するカラオケサーバー７０と通信可能である。カラオケサーバー７０はカラオケ事業者が制作したカラオケデータを格納し、適宜に演奏端末１０に配信している。各演奏端末１０は、カラオケサーバー７０から適宜に配信されるカラオケデータを受け取って、ハードディスク装置１２に構築したカラオケデータベースに格納する。
【００１６】
カラオケサーバー７０には、カラオケ事業者が作成した推薦曲リストも格納され、適宜に演奏端末１０や客室端末２０に配信されている。推薦曲リストは、新曲や話題の曲の楽曲ＩＤと曲名やアーティスト名などの目次情報とを対応付けして集約したものであり、たとえば１週間毎など適宜な機会に更新されている。楽曲ＩＤに対応づけたお薦めコメントなどが含まれていてもよい。
【００１７】
また、カラオケサーバー７０は、カラオケ事業者に会員登録した利用者の会員情報を管理している。カラオケ事業者が割り当てた会員ＩＤ（利用者ＩＤ）に対応付けして、会員の名前や住所、年齢、好みの楽曲集などの会員情報を格納するものである。会員情報には、客室端末２０で撮影した会員の顔写真や、会員所有のデジタルカメラなどで撮影して転送された写真なども含まれる。
【００１８】
＝＝＝利用者名簿と演奏履歴＝＝＝
客室端末２０は、客室に入室した会員が所定のログイン操作を行なうことよりカラオケサーバー７０に会員ＩＤが認証されると、カラオケサーバー７０から氏名を含む会員情報をとりよせて、会員ＩＤと対応づけして記憶部に記憶して、利用者名簿として管理している。したがって利用者名簿には同室内でログイン中の利用者の会員ＩＤ（利用者ＩＤ）と対応する会員情報とが集約されている。なお、利用者名簿で管理している会員情報には、氏名のほか、顔写真なども含まれる。
【００１９】
ログイン済みの会員による操作入力信号には、会員ＩＤが含められて演奏端末１０やサーバーに転送される。したがって、会員が演奏予約した楽曲ＩＤと会員ＩＤとが対応付けされて演奏端末１０に転送される。演奏端末１０は、待ち行列に登録する楽曲ＩＤに、当該会員ＩＤを対応付けして管理する。そして演奏処理が終了した楽曲ＩＤについては、演奏日時とともに会員ＩＤを対応付けて、それらを時系列に集約して演奏履歴として記憶し管理している。演奏履歴には、歌唱採点の採点情報（得点や全国ランキング情報）も含まれる。なお、演奏履歴は退室時などに演奏端末１０の記憶部からは消去する。統計情報として、カラオケサーバー７０に転送してもよい。または、演奏履歴を消去せずに統計情報として記憶させておきカラオケサーバー７０に転送した時点で消去してもよい。
【００２０】
＝＝＝推薦曲表示処理＝＝＝
本実施例に係る推薦曲表示処理は、サーバー７０から配信されている推薦曲リストを曲間や客室端末２０が利用されていない時間などに利用者に提示する際に、リスト中に既に演奏済みの楽曲があればその旨の表示を付記して提示するものである。
【００２１】
客室端末２０の端末制御部２１は、推薦曲リストを表示させようとする際に、図４に例示したように、当該推薦曲表示処理を開始する。処理を開始すると（ｓ１→ｓ２）、推薦曲リストと、当該客室に利用者が入室してから現在までの演奏履歴を演奏端末１０から取り寄せて、演奏履歴に含まれる楽曲ＩＤを推薦曲リストに含まれる楽曲ＩＤと対比させる（ｓ２）。推薦曲リストに含まれる楽曲ＩＤが演奏履歴に含まれていた場合には（ｓ３）、当該演奏履歴に対応付けされている会員ＩＤを利用者名簿に対照させ、利用者名を抽出する。そして「Ａさんが１０分前に歌った曲です」というように演奏済告知メッセージを作成する（ｓ４）。また推薦曲リストの楽曲ＩＤを楽曲索引データベースに照会し、曲名やアーティスト名などの目次情報を抽出する。
【００２２】
以上の処理に基づいて、推薦曲の曲目一覧をタッチパネル２３に表示させるとともに、演奏履歴に含まれていた楽曲ＩＤに該当する曲目に対応付けして、演奏済告知メッセージを表示させる（ｓ５）。図５に、推薦曲リストにおける演奏済告知メッセージの表示例を示している。このようにして推薦曲リスト中の曲目のうち演奏済みの曲があれば、その旨を告知することができるので、あらためてその推薦曲に注目して、推薦理由となったランキングやそのアーティストの動向や、主題歌にとりあげたドラマなど、その曲にまつわる情報に話題がおよぶきっかけになるだろう。歌唱したＡさんに対して、他が知らない最新情報の披露を求めることもできる。
【００２３】
表示されている推薦曲の曲目一覧の中から、利用者が１つを選択指定する所定の操作入力を行うことにより、当該楽曲の楽曲ＩＤを含む演奏予約電文が作成され、演奏端末１０に演奏予約できる。
【００２４】
推薦曲リストと対比させる所定期間の演奏履歴について、所定期間として多様な設定方法がある。たとえば１０分以内の演奏履歴に限定し、推薦曲リストを表示させる直近の１０分以内に演奏された曲だけを告知するようにしてもよい。あるいは、直近５曲分の演奏履歴に限定し、推薦曲リスト表示をする時点より５曲前までの曲についてのみを演奏済みと告知するようにもできる。
【００２５】
＝＝＝メッセージの形式＝＝＝
演奏履歴の演奏日時に基づいて、演奏日時がわかる情報をあわせて告知してもよい。これにより、演奏済み告知メッセージは「Ａさんがさきほど歌ったばかりです」というような形式のほかに、「Ａさんが１９:５０に歌いました」とか、現在時刻に基づいて「Ａさんが１０分前に歌いました。」とか、「Ａさんが３曲前に歌いました。」というようなメッセージにもできる。
【００２６】
演奏履歴に歌唱採点結果（採点情報）が含まれる場合に、「Ａさんが１０分前に歌いました。７５点でした。」とか、「Ｂさんがさきほど歌ったばかりです。全国ランキング４位でした。」というように、そのときの得点やランキング情報をメッセージに含めても良い。なお、前日までの歌唱採点結果を利用して表示する場合には、カラオケサーバー７０の管理する会員情報から取り寄せて利用者名簿に格納して、これをメッセージ作成時に抽出するようにもできる。歌唱採点結果をメッセージに含めることにより、その曲にまつわる話だけでなく、Ａさんの歌いぶりを話題にすることができ、さらに娯楽性が増す。
【００２７】
また、利用者名簿から顔写真を抽出して、メッセージとともにＡさんの顔写真を表示すると目につきやすくメッセージ性が高まる。Ａさん本人の顔写真のほか、Ａさんの愛犬や好みの場所の写真などを表示させることもできる。そうすると、話題の範囲もさらにＡさんの趣味にまで拡がる可能性がある。
【００２８】
メッセージの表示方法として、点滅させたり字体を変えたりして目につきやすくすると、メッセージ性が向上する。当初は比較的小さい文字で表示しておき、利用者がクリックするなど所定の指示操作を行なうと大きな文字に変更して表示してもよい。
【００２９】
＝＝＝その他＝＝＝
利用者ＩＤとして、上記実施例の会員ＩＤのほか、入室から退室までの間だけ一時的に割り当てられた識別情報を用いてもよい。たとえば、入室時などにニックネームや電話番号などを利用者自身に入力させたり、客室端末２０などが番号や記号を割り当てたりして、それらを利用者ＩＤとしてもよい。そうすると、会員でなくても演奏履歴を一時的に残せるので、本発明に適用できる。
【００３０】
推薦曲リストは、上記実施例に限定されず、どのように作成されたかものであるかについては、本発明の範疇ではない。たとえば、会員の好みに応じて、なんらかの関連ある楽曲や、好みの傾向が似かよった他会員のお気に入り楽曲などに基づいて、あらかじめ会員専用の推薦曲リストを作成しておき、本発明に適用してもよい。
【００３１】
その場合に、推薦曲リストを表示させる場面は、曲間などとする上記実施例に限定されず、利用者が所定の操作入力により推薦曲リスト表示を希望した場合に、本発明に係る推薦曲表示処理を行うものでもよい。
【００３２】
また推薦曲リストの表示は、客室端末２０のタッチパネル２３に限定されない。演奏端末１０のディスプレイ１８や、演奏端末１０に接続された情報表示専用のディスプレイに表示させてもよい。その場合、推薦曲リストや演奏履歴のほか、楽曲索引データベースや利用者名簿を演奏端末１０でも管理するように構成し、演奏端末１０が曲間などのリスト表示タイミングに、推薦曲表示処理を行う。
【図面の簡単な説明】
【００３３】
【図１】本実施例に係るカラオケ装置を含むネットワーク構成を例示している。
【図２】本実施例に係るカラオケ装置を構成する演奏端末の構成を例示している。
【図３】本実施例に係るカラオケ装置を構成する客室端末の構成を例示している。
【図４】本実施例に係る推薦曲表示処理の処理フロー図である。
【図５】本実施例に係る推薦曲リストの表示画面例である。
【符号の説明】
【００３４】
１０  演奏端末
１１  中央制御部
１８  ディスプレイ
２０  客室端末
２３  タッチパネル
【図１】
2010049097.tif 000003
【図２】
2010049097.tif 000004
【図３】
2010049097.tif 000005
【図４】
2010049097.tif 000006
【図５】
2010049097.tif 000007